(57)【特許請求の範囲】
【請求項１】
ＬＥＤ光源と、前記ＬＥＤ光源から伝わった熱を放熱する放熱部とを有する光源ユニットを複数備え、
前記複数の前記光源ユニットの各々が互いに間隔をあけて配置され、各々の前記光源ユニットの前記放熱部の間を空気が流れる照明装置において、
前記複数の前記光源ユニットを支持する光源ユニット支持体を備え、
前記光源ユニット支持体は、前記ＬＥＤ光源の発光部を露出させる貫通穴である長尺開口を有し、
前記長尺開口の形状は、幅より長い長さを有する形状であり、
前記放熱部は、前記ＬＥＤ光源を取り付ける取り付け面を有し、
前記放熱部の前記取り付け面が前記長尺開口の縁部にて前記光源ユニット支持体に接触する照明装置。
【請求項２】
前記光源ユニット支持体は、湾曲した形状または円弧形状の前記長尺開口を有する請求項１記載の照明装置。
【請求項３】
前記光源ユニット支持体は、円弧形状の前記長尺開口を複数個有し、
前記複数個の前記円弧形状の前記長尺開口が、同じ中心の周りに配置されている請求項１記載の照明装置。
【請求項４】
前記光源ユニット支持体は、直線形状の前記長尺開口を複数個有する請求項１記載の照明装置。
【請求項５】
前記光源ユニット支持体は、折れ線形状、または、複数の直線が交差した形状の前記長尺開口を有する請求項１記載の照明装置。
【請求項６】
前記複数の前記光源ユニットは、円周上に各々が互いに間隔をあけて配置されている請求項１記載の照明装置。
【請求項７】
前記光源ユニット支持体に対する前記光源ユニットの取り付け位置を前記長尺開口の長さ方向に沿って変更可能である請求項１乃至６の何れか１項記載の照明装置。
【請求項８】
前記光源ユニット支持体に対し複数個の前記光源ユニットを前記長尺開口の長さ方向に沿って並べて取り付け可能である請求項１乃至７の何れか１項記載の照明装置。
【請求項９】
前記光源ユニットを前記光源ユニット支持体に固定可能な固定部が前記長尺開口の長さ方向に沿って設けられている請求項１乃至８の何れか１項記載の照明装置。
【請求項１０】
前記光源ユニットと、前記光源ユニット支持体とは、ねじを用いて互いに固定され、
前記ねじは、すべて、同一の方向から締め付け可能である請求項１乃至９の何れか１項記載の照明装置。
【請求項１１】
前記複数の前記光源ユニットを支持する第２の光源ユニット支持体を備え、
前記第２の光源ユニット支持体は、前記ＬＥＤ光源からの距離が、前記光源ユニット支持体と前記ＬＥＤ光源との距離よりも遠くなる位置で、前記光源ユニットを支持する請求項１乃至１０の何れか１項記載の照明装置。
【請求項１２】
前記放熱部は、前記ＬＥＤ光源と反対側に開口部を有し、
前記第２の光源ユニット支持体は、前記放熱部の前記開口部を覆う請求項１１記載の照明装置。
【請求項１３】
前記第２の光源ユニット支持体の形状は、隣り合う前記光源ユニットを連結するフレーム状をなす請求項１１または１２記載の照明装置。
【請求項１４】
前記光源ユニットは、前記ＬＥＤ光源に給電する給電線と、前記給電線に接続された第１の端子とを有し、
前記第２の光源ユニット支持体は、前記第１の端子と接続可能な第２の端子を有する請求項１１乃至１３の何れか１項記載の照明装置。
【請求項１５】
前記ＬＥＤ光源は、基板とＬＥＤとを有し、
前記取り付け面は、前記ＬＥＤ光源の前記基板に覆われていない領域を有し、
前記取り付け面の前記領域の少なくとも一部は、露出している請求項１乃至１４の何れか１項記載の照明装置。
【請求項１６】
前記光源ユニットの前記発光部を個別に露出させる個別開口が複数形成された光制御部材と、
前記複数の前記個別開口のうち、前記光源ユニットが割り当てられない前記個別開口を被覆可能な開口被覆部材と、
を備える請求項１乃至１５の何れか１項記載の照明装置。
【請求項１７】
前記放熱部は、前記ＬＥＤ光源を取り付ける取り付け面を有する光源設置部と、前記光源設置部の前記取り付け面の反対側に位置する放熱体とを有する請求項１乃至１６の何れか１項記載の照明装置。
【請求項１８】
前記光源設置部を貫通する貫通孔を有し、
前記ＬＥＤ光源に給電する給電線は、前記貫通孔を通って、更に前記放熱体の内部または側方を通るように配設可能である請求項１７記載の照明装置。
【請求項１９】
前記光源設置部と前記光源ユニット支持体とが固定される請求項１７または１８記載の照明装置。
【請求項２０】
前記放熱部は、支柱部と、前記支柱部から放射状に外側に突出するフィンとを有する請求項１乃至１９の何れか１項記載の照明装置。
【請求項２１】
隣り合う前記光源ユニットの一方の前記光源ユニットの前記フィンの少なくとも一つが他方の前記光源ユニットの前記フィンの間に位置する請求項２０記載の照明装置。
【請求項２２】
前記ＬＥＤ光源は、チップ・オン・ボードタイプのＬＥＤ光源である請求項１乃至２１の何れか１項記載の照明装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ）を用いた照明装置に関する。
【背景技術】
【０００２】
従来のＬＥＤ照明器具、特に、高天井に設置するＬＥＤ照明器具としては、比較的小型で小光束のＬＥＤパッケージを複数搭載した基板を、大型の放熱フィンに装着し、その放熱効果によりＬＥＤ温度を低温化させ、高い発光効率を維持しようとする装置構成が主流である（例えば、特許文献１参照）。また、同じように放熱性改善を目的とした他の装置構成としては、個々のＬＥＤ光源に対し放熱部を備えた光源ユニットを複数備えた構成が提案されている（例えば、特許文献２および３参照）。特許文献２では、ＬＥＤ光源と一体化電源（制御回路）との間の距離を長くしたことで、熱放散性を高めた高輝度照明装置を提供することを目的としている。特許文献３では、ＬＥＤ部品の散熱ルートを独立させ散熱性の高い灯具を得ることを目的としている。
【先行技術文献】
【特許文献】
【０００３】
【特許文献１】特開２０１０−２６２８４６号公報
【特許文献２】特表２００８−５４２９８２号公報
【特許文献３】実用新案登録第３１６５５６５号公報
【発明の概要】
【発明が解決しようとする課題】
【０００４】
特許文献１のような器具では、放熱ヒートシンクが一体のものであるため、大光束化に伴い装置が大型化、重量化、高コスト化する。また、小光束ＬＥＤが多数必要となるため、ＬＥＤ実装負荷が大きくなるという課題もある。
【０００５】
また、特許文献２のような構成では、特に装置直下を照明するような用途においては、発光クラスタランプ終端部に設けられた電源部が放熱性を妨げ、かつ、熱が電源部に篭りやすくなるといった欠点がある。そのため、意図した放熱効果が十分得られず、光源が大光束であるほど電源効率やＬＥＤの発光効率の低下が顕著となり、装置総合効率を高めることができないといった課題がある。
【０００６】
更に、特許文献２および３に共通の課題として、ＬＥＤ光源の数および配置位置が予め定められているため、その個数調整や配置位置を容易に変更できないという欠点がある。すなわち、ある規定サイズの器具で、光束や表面発光強度分布（配光、輝度分布に関係）を調整したい場合に自由度がなく、個別の光学的要求仕様に合わせて個々の装置を作らねばならず、コスト上昇要因となっている。また、用いるＬＥＤ光源が小光束である場合、大光束装置を得るためには、ＬＥＤ光源と放熱部とからなる光源ユニットをかなりコンパクト化し、多数の光源ユニットを組込まねばならず、組立性に支障を与えるという課題もある。
【０００７】
本発明は、上述のような課題を解決するためになされたもので、大光束が要求される場合にもＬＥＤ光源の熱を放熱する放熱性が良好で、高い発光効率が得られ、小型化および軽量化に有利であるとともに、光源ユニットの搭載個数や配置の自由度が高く、同じ装置サイズにおいて光束クラスあるいは表面発光強度分布の変更を容易に実現することができ、かつ組立性に優れた安価な照明装置を提供することを目的とする。
【課題を解決するための手段】
【０００８】
本発明に係る照明装置は、ＬＥＤ光源と、ＬＥＤ光源から伝わった熱を放熱する放熱部とを有する光源ユニットを複数備え、複数の光源ユニットの各々が互いに間隔をあけて配置され、各々の光源ユニットの放熱部の間を空気が流れる照明装置において、複数の光源ユニットを支持する光源ユニット支持体を備え、光源ユニット支持体は、ＬＥＤ光源の発光部を露出させる貫通穴である長尺開口を有し、長尺開口の形状は、幅より長い長さを有する形状であるものであり、放熱部は、ＬＥＤ光源を取り付ける取り付け面を有し、放熱部の取り付け面が長尺開口の縁部にて光源ユニット支持体に接触する。
【発明の効果】
【０００９】
本発明によれば、大光束が要求される場合にもＬＥＤ光源の熱を放熱する放熱性が良好で、高い発光効率が得られ、小型化および軽量化に有利であるとともに、光源ユニットの搭載個数や配置の自由度が高く、同じ装置サイズにおいて光束クラスあるいは表面発光強度分布の変更を容易に実現することができ、かつ組立性に優れた安価な照明装置を提供することが可能となる。
【図面の簡単な説明】
【００１０】
【図１】本発明の実施の形態１の照明装置を示す斜視図である。
【図２】本発明の実施の形態１の照明装置から外側筐体を取り外した状態を示す斜視図である。
【図３】本発明の実施の形態１の照明装置の分解斜視図である。
【図４】本発明の実施の形態１の照明装置が備える光源ユニットを斜め前から見た斜視図である。
【図５】本発明の実施の形態１の照明装置が備える光源ユニットを斜め後ろから見た一部切欠き斜視図である。
【図６】本発明の実施の形態１の照明装置が備える光源ユニットの変形例を斜め後ろから見た一部切欠き斜視図である。
【図７】本発明の実施の形態１の照明装置の光源ユニットおよび光源ユニット前方支持体の前面図である。
【図８】本発明の実施の形態１の照明装置に２個の光源ユニットを組み込む場合の光源ユニットおよび光源ユニット前方支持体の前面図である。
【図９】本発明の実施の形態１の照明装置に２個の光源ユニットを組み込む場合の光源ユニット、光源ユニット前方支持体、反射体および開口被覆部材の分解斜視図である。
【図１０】本発明の実施の形態１の照明装置に３個の光源ユニットを組み込む場合の光源ユニットおよび光源ユニット前方支持体の前面図である。
【図１１】本発明の実施の形態１の照明装置に４個の光源ユニットを組み込む場合の光源ユニットおよび光源ユニット前方支持体の前面図である。
【図１２】本発明の実施の形態１の照明装置に４個の光源ユニットを組み込む場合の光源ユニット、光源ユニット前方支持体、反射体および開口被覆部材の分解斜視図である。
【図１３】本発明の実施の形態１の照明装置に５個の光源ユニットを組み込む場合の光源ユニットおよび光源ユニット前方支持体の前面図である。
【図１４】本発明の実施の形態１の照明装置に２個の光源ユニットを組み込む場合の光源ユニット、光源ユニット前方支持体および反射体の前面図である。
【図１５】本発明の実施の形態１の照明装置が備える光源ユニット前方支持体の第１の変形例および光源ユニットを拡大して示す前面図である。
【図１６】本発明の実施の形態１の照明装置が備える光源ユニット前方支持体の第２の変形例および光源ユニットを拡大して示す前面図である。
【図１７】本発明の実施の形態１の照明装置の他の構成例における光源ユニット、光源ユニット前方支持体、光反射性材および内部反射枠の分解斜視図である。
【図１８】本発明の実施の形態２の照明装置が備える光源ユニットを示す斜視図である。
【図１９】本発明の実施の形態２の照明装置が備える光源ユニットを示す斜視図である。
【図２０】本発明の実施の形態２の照明装置が備える光源ユニット後方支持体を示す斜視図である。
【図２１】本発明の実施の形態３の照明装置が備える、隣り合う一組の放熱体の前面図である。
【図２２】本発明の実施の形態４の照明装置が備える光源ユニットを示す斜視図である。
【図２３】本発明の実施の形態５の照明装置が備える光源ユニットを示す斜視図である。
【図２４】本発明の実施の形態６の照明装置が備える光源ユニット前方支持体を示す前面図ある。
【図２５】本発明の実施の形態７の照明装置が備える光源ユニット前方支持体を示す前面図ある。
【図２６】本発明の実施の形態８の照明装置が備える光源ユニット前方支持体を示す前面図ある。
【図２７】本発明の実施の形態９の照明装置が備える光源ユニット前方支持体を示す前面図ある。
【図２８】本発明の実施の形態１０の照明装置を示す斜視図である。
【図２９】本発明の実施の形態１１の照明装置を示す斜視図である。
【図３０】比較例の照明装置を示す斜視図である。
【発明を実施するための形態】
【００１１】
以下、図面を参照して本発明の実施の形態について説明する。なお、各図において共通する要素には、同一の符号を付して、重複する説明を省略する。
【００１２】
実施の形態１．
図１は、本発明の実施の形態１の照明装置を示す斜視図である。図１に示す本実施形態の照明装置１は、装置本体を天井面に埋込み、発光面を床面に向けて照明するように使用されるダウンライトであり、数千〜数万ルクスの大光束を発する照明装置として特に好適なものである。図１に示すように、照明装置１は、光源ユニット２と、反射体２４と、透光板２９と、表面反射枠３０と、外側筐体３１とを有している。本実施形態の照明装置１は、図１中での下方向に向かって投光する。本実施形態の照明装置１の全体形状は、投光方向から見たとき、ほぼ円形をなす。
【００１３】
図２は、本発明の実施の形態１の照明装置１から外側筐体３１を取り外した状態を示す斜視図である。図３は、本発明の実施の形態１の照明装置１の分解斜視図である。以下では、図１乃至図３中での下方向に相当する方向を「前」とし、図１乃至図３中での上方向に相当する方向を「後」として説明する。図３に示すように、本実施形態の照明装置１は、複数個（図１乃至図３の構成では７個）の光源ユニット２を備えている。光源ユニット前方支持体２０（光源ユニット支持体）は、これら複数個の光源ユニット２を一括して支持する。また、光源ユニット前方支持体２０は、光源ユニット２の前方の部分を支持する。ここで、光源ユニット２の前方の部分とは、光源ユニット２の前半分に含まれる所定箇所を言うものとする。光源ユニット前方支持体２０の前面側には、必要な光質を与えるための複数の光制御部材を設置可能である。本実施形態の照明装置１は、光制御部材として、反射体２４、透光板２９および表面反射枠３０を備えている。
【００１４】
反射体２４（光制御部材）には、複数の個別開口２５が形成されている。各々の個別開口２５は、各々の光源ユニット２が備えるＬＥＤ光源３の発光部を個別に露出させる。反射体２４は、例えば高反射性樹脂材料で成形され、板状をなしている。個別開口２５の内周面は、すり鉢状をなしており、前方に向かって内径が連続的に拡大している。個別開口２５の内周面は、ＬＥＤ光源３の発光部を囲むように配置される。反射体２４は、ＬＥＤ光源３の側方発光成分を、個別開口２５の内周面で反射させて、前面側へ光線方向を制御するような光学的機能を有する。
【００１５】
透光板２９は、反射体２４の前面側に配置される。透光板２９は、光源保護および配光制御の機能を有する。透光板２９は、目的とする光質に合わせて、表面がクリアまたはブラスト状の透光性樹脂材料で構成されることが好ましい。また、目的によっては、透光板２９がレンズ機能を兼ね備える構成であっても良い。
【００１６】
表面反射枠３０は、反射体２４および透光板２９の外周を囲むように配置される。表面反射枠３０は、金属を主材料とし、少なくとも内周面が拡散状あるいは高反射性の鏡面状であることが好ましい。表面反射枠３０は、光を反射する配光制御あるいはグレア防止機能を有する。また、本実施形態の表面反射枠３０には、天井面に照明装置１を埋め込んで設置する際に照明装置１を支持可能とする支持部３０ａが腕状に突出して設けられている。
【００１７】
更に、本実施形態の照明装置１は、複数個の光源ユニット２を一括して支持する光源ユニット後方支持体２３（第２の光源ユニット支持体）と、複数個の光源ユニット２の側方を一括して覆う外側筐体３１とを備えている。光源ユニット後方支持体２３は、ＬＥＤ光源３からの距離が、光源ユニット前方支持体２０とＬＥＤ光源３との距離よりも遠くなる位置で、光源ユニット２を支持する。すなわち、光源ユニット後方支持体２３は、光源ユニット前方支持体２０よりも後方の位置で、光源ユニット２を支持する。外側筐体３１は、円筒形状をなしている。外側筐体３１には、多数の通風口が形成されている。
【００１８】
図４は、本発明の実施の形態１の照明装置１が備える光源ユニット２を斜め前から見た斜視図である。図４に示すように、光源ユニット２は、ＬＥＤ（Ｌｉｇｈｔ  Ｅｍｉｔｔｉｎｇ  Ｄｉｏｄｅ）光源３と、ＬＥＤ光源３を取り付ける取り付け面５ａを有する放熱部とを備えている。本実施形態では、光源ユニット２が備える放熱部は、前面に取り付け面５ａを有する光源設置部４と、光源設置部４の取り付け面５ａの反対側に位置する放熱体７（ヒートシンク）とを備えている。
【００１９】
本実施形態では、光源ユニット２が備えるＬＥＤ光源３は、給電端子を備えた金属基板またはセラミック基板に複数のＬＥＤベアチップを直接に実装して樹脂封止することにより構成された、チップ・オン・ボード（Ｃｈｉｐ  Ｏｎ  Ｂｏａｒｄ：ＣＯＢ）タイプのＬＥＤ光源（以下、「ＣＯＢ形ＬＥＤ光源」と称する）である。本実施形態では、ＬＥＤ光源３としては、例えば、基板上に複数の青系ＬＥＤベアチップを配置し、黄色系蛍光体混合の樹脂材料で封止した白色発光のＣＯＢ形ＬＥＤ光源を好適に用いることができる。また、ＬＥＤ光源３としては、照明装置１の用途にもよるが、約５〜３０Ｗ程度（例えば、基板の一辺の長さが１５〜４０ｍｍ程度、発光効率が１００ルーメン／Ｗ程度）の、投入電力が大きく、大光束のＣＯＢ形ＬＥＤ光源を用いることが好ましい。このようなＣＯＢ形ＬＥＤ光源をＬＥＤ光源３として用いることにより、従来のように１ＷクラスのパッケージＬＥＤを高密度に相当数実装することなく、数千ルーメンクラスの照明装置１を数個のＬＥＤ光源３で実現できる。ただし、このようなＣＯＢ形ＬＥＤ光源は、非常に発熱量が大きいため、放熱性を良好にし、低温化してＬＥＤチップ性能（発光効率）を十分引き出す形で使用することが重要となる。
【００２０】
本実施形態におけるＬＥＤ光源３の基板は、略正方形をなしている。また、ＬＥＤ光源３の発光面は、略円形をなしている。ただし、ＬＥＤ光源３の基板および発光面の形状は、このような形状に限定されず、いかなる形状でも良い。
【００２１】
放熱部（光源設置部４）の取り付け面５ａは、ＬＥＤ光源３の基板に覆われていない領域を有する。本実施形態では、取り付け面５ａのほぼ中心にＬＥＤ光源３が配置されており、取り付け面５ａは、ＬＥＤ光源３の周囲に、ＬＥＤ光源３の基板に覆われていない領域を有する。
【００２２】
本実施形態では、照明装置１が備える複数のＬＥＤ光源３の各々に対して個別に放熱部（放熱体７）を設けることにより、ＬＥＤ光源３の熱を放熱する放熱性、すなわちＬＥＤ光源３を低温化する機能を良好とし、高い発光効率が得られるとともに、小型化および軽量化に有利である。
【００２３】
また、本実施形態では、放熱部（光源設置部４）の取り付け面５ａは、ＬＥＤ光源３の基板に覆われていない領域を有しており、この領域の少なくとも一部は、樹脂モールド等に覆われることなく露出する。このような構成により、本実施形態では、放熱体７からの放熱に加えて、光源設置部４の取り付け面５ａのＬＥＤ光源３の基板に覆われていない領域からも、熱放射、空気あるいは光源ユニット前方支持体２０への伝熱により、効率良く放熱可能になる。このため、放熱性を更に良好とし、ＬＥＤ光源３を更に低温化することができる。
【００２４】
本実施形態における光源設置部４は、取り付け面５ａを有する板状（本実施形態では円板状）の光源取り付け板５と、光源取り付け板５の取り付け面５ａと反対側の面に接触して設けられた板状（本実施形態では円板状）の放熱体取り付け板６とにより構成されている。光源取り付け板５は、セラミックス製、特に、例えばアルミナ等のファインセラミックス製であることが好ましい。放熱体取り付け板６は、例えばアルミニウムまたはアルミニウム合金等の金属製であることが好ましい。放熱体取り付け板６を熱伝導率の高い金属製にすることにより、放熱性を向上することができる。光源取り付け板５をセラミックス製にすることにより、ＬＥＤ光源３と、放熱体取り付け板６および放熱体７とを確実に絶縁しつつ、良好な放熱性が得られる。光源取り付け板５と放熱体取り付け板６とは、隙間無く接触している。これにより、光源取り付け板５と放熱体取り付け板６との間の伝熱を促進し、放熱性を向上することができる。放熱体取り付け板６がアルミニウム製またはアルミニウム合金製である場合には、放熱体取り付け板６の表面にアルマイト処理が施されていることが好ましい。放熱体取り付け板６の表面にアルマイト処理を施すことにより、放射率を高めることができ、放熱性を更に向上することができる。
【００２５】
本実施形態では、ＬＥＤ光源３は、光源設置部４（光源取り付け板５）の取り付け面５ａに対し、ねじ１２を用いて固定されている。ＬＥＤ光源３の基板の裏面と、取り付け面５ａとの間に、接触熱抵抗を抑えるための薄い放熱性シートまたはグリスを介在させてもよい。また、本実施形態では、ＬＥＤ光源３に給電する給電線１１は、ＬＥＤ光源３上の接続端子に、はんだ付けで直結されている。本実施形態では、ＬＥＤ光源３の基板はアルミニウムで構成されているものとするが、セラミックスなどの他の基板材料のものでもよい。
【００２６】
放熱体７は、光源設置部４（放熱体取り付け板６）の後面６ａに接触して設けられている。放熱体７は、例えばアルミニウムまたはアルミニウム合金等の金属製であることが好ましい。放熱体７を熱伝導率の高い金属製にすることにより、放熱性を向上することができる。放熱体７がアルミニウム製またはアルミニウム合金製である場合には、放熱体７の表面にアルマイト処理が施されていることが好ましい。放熱体７の表面にアルマイト処理を施すことにより、放射率を高めることができ、放熱性を更に向上することができる。
【００２７】
図５は、本発明の実施の形態１の照明装置１が備える光源ユニット２を斜め後ろから見た一部切欠き斜視図である。図５に示すように、本実施形態における放熱体７は、中空の円筒形の支柱部８と、支柱部８から放射状に外側に突出する複数のフィン９とを有する形状をなしている。なお、図５では、説明の都合上、支柱部８の周方向の一部とその部分から突出するフィン９とを切り欠いて除去した状態を示している。放熱体７をこのような形状にすることにより、広い面積のフィン９を設けることができ、放熱性を向上することができる。また、支柱部８を中空の円筒形にしたことにより、光源ユニット２の軽量化が図れる。また、照明装置１の使用状態でフィン９は、鉛直方向に平行になる。このため、フィン９の表面で熱せられた空気が上昇気流になってフィン９の表面に沿って効率良く流れることができる。その結果、放熱性を向上することができる。
【００２８】
支柱部８の軸方向は、放熱体取り付け板６に対し垂直になっている。支柱部８の後端は、開口している。このため、支柱部８の中空部に空気が流通可能になるので、放熱性を向上することができる。一方、支柱部８の前端には、開口を覆う前壁８ａが形成されている。支柱部８の前端に形成された前壁８ａが光源設置部４（放熱体取り付け板６）の後面６ａに接触することにより、光源設置部４と放熱体７との接触面積を大きくすることができ、光源設置部４から放熱体７への伝熱を促進し、放熱性を向上することができる。また、本実施形態では、フィン９の前端面も光源設置部４（放熱体取り付け板６）の後面６ａに接触している。このため、光源設置部４と放熱体７との接触面積を更に大きくすることができ、光源設置部４から放熱体７への伝熱を更に促進し、放熱性を更に向上することができる。
【００２９】
本実施形態では、光源設置部４の直径は、支柱部８の直径より大きく、かつ、放熱体７全体の直径（フィン９の先端での外径）とほぼ同じ寸法になっている。このような構成により、光源ユニット２の外径は、前方から後方まで、ほぼ同じ大きさになっている。このため、光源ユニット２として高い放熱性すなわち光源低温化機能を持つとともに、照明装置１へ装着する際に、複数の光源ユニット２を小さなスペースに効率良く配置することができるので、照明装置１の小型化に寄与する。
【００３０】
本実施形態の放熱部は、光源設置部４を貫通し、更に支柱部８の前壁８ａを連続して貫通する貫通孔１８を有している。ＬＥＤ光源３に給電する給電線１１は、光源設置部４の取り付け面５ａ側から、この貫通孔１８を通って、支柱部８の内部に達する。そして、給電線１１は、支柱部８の内部を通って支柱部８の後端の開口部から外部へ延び、外部電源の接続端子に接続可能になっている。このような構成により、給電線１１の配設状態を容易に整えることができる。
【００３１】
図６は、本発明の実施の形態１の照明装置１が備える光源ユニット２の変形例（光源ユニット２Ａ）を斜め後ろから見た一部切欠き斜視図である。図６に示す光源ユニット２Ａは、上述した光源ユニット２の変形例であり、給電線１１の配設方法が異なること以外は光源ユニット２とほぼ同様である。なお、図６では、説明の都合上、支柱部８の周方向の一部とその部分から突出するフィン９とを切り欠いて除去した状態を示している。図６に示す光源ユニット２Ａでは、放熱体７の支柱部８の側壁に給電用開口１４が形成され、給電用開口１４の形成箇所においてフィン９が一部欠損している。ＬＥＤ光源３に給電する給電線１１は、光源設置部４の取り付け面５ａ側から、貫通孔１８を通って支柱部８の内部に達する。そして、給電線１１は、支柱部８の内部から給電用開口１４を通って支柱部８の側方（放熱体７の側方）に出て外部へ延び、外部電源の接続端子に接続可能になっている。このような構成により、給電線１１の配設状態を容易に整えることができる。
【００３２】
なお、給電線１１の配設方法は、図５あるいは図６に示す構成に限定されるものではなく、例えば、給電線１１がＬＥＤ光源３の発光部に重ならないように給電線１１を光源設置部４の取り付け面５ａ上に通して、外部電源の接続端子に接続する構成としてもよい。
【実施例１】
【００３３】
図４および図５に示す光源ユニット２の実施例として、直径２５０ｍｍ程度の照明装置１に装着可能な光源ユニット２を製作し、温度測定を行い、効果を確認した。この実施例１の光源ユニット２のＬＥＤ光源３としては、基板寸法１９ｍｍ×１９ｍｍ、１４００ルーメン、１１Ｗのものを用いた。光源設置部４（光源取り付け板５および放熱体取り付け板６）の直径は、約５４ｍｍとした。光源取り付け板５は、アルミナ製、厚さ６ｍｍとした。放熱体取り付け板６は、アルミニウム製、厚さ３ｍｍとした。放熱体７は、アルミニウム製、直径５５ｍｍ、軸方向の長さ１００ｍｍとした。この実施例１の光源ユニット２のＬＥＤ光源３の温度を測定した結果、光源温度が約６０℃となった。従来、光束ランクの大きいダウンライト器具内の光源温度は、一般に、６０〜９０℃程度である。したがって、実施例１の光源ユニット２は、従来のものに比較して、良好な放熱特性を示すことが確認された。
【００３４】
図３０は、比較例の照明装置を示す斜視図である。図３０に示す比較例の照明装置１００は、７個のＬＥＤ光源１０１と、これら７個のＬＥＤ光源１０１の熱を一括して放熱する放熱体１０２（ヒートシンク）とを有している。実施例１の光源ユニット２を用いた照明装置１によれば、図３０に示す比較例の照明装置１００に比べて、放熱部を製造するために必要なアルミニウム材料が２５〜４５％少なくて済み、大幅に削減できた。このように、本実施形態の照明装置１によれば、軽量、小型、かつ安価な照明装置を得ることができる。また、本実施形態によれば、実施例１により実証されたように、図３０に示すような一体形ヒートシンクの照明装置に比較して、より優れた放熱性（光源低温化効果）が得られる。このため、ＬＥＤ光源３の本来の発光特性の実力を確実に発揮させることができ、高い発光効率の照明装置１を得ることができる。
【００３５】
図７は、本発明の実施の形態１の照明装置１の光源ユニット２および光源ユニット前方支持体２０の前面図である。図７に示すように、本実施形態における光源ユニット前方支持体２０は、円板状をなしている。各光源ユニット２の光源設置部４（光源取り付け板５）の取り付け面５ａは、光源ユニット前方支持体２０に接触している。各光源ユニット２の光源設置部４（光源取り付け板５）は、前面側から締め付け可能な４本のねじ１５を用いて、光源ユニット前方支持体２０に固定されている。すなわち、ねじ１５は、光源ユニット前方支持体２０に形成されたねじ挿通孔（図示省略）を通り、光源設置部４（光源取り付け板５）に形成された雌ねじ孔（図示省略）に螺合して締め付けられる。本実施形態の照明装置１は、７個の光源ユニット２を組み込むことができる。図７に示すように、７個の光源ユニット２を組み込む場合には、１個の光源ユニット２を中央に配置し、その中央の光源ユニット２の周囲を取り囲むようにして６個の光源ユニット２を等角度間隔に配置することができる。
【００３６】
光源ユニット前方支持体２０には、開口１９と、２個の長尺開口２１とが形成されている。開口１９の形状は、円形であり、光源ユニット前方支持体２０の中央に配置されている。光源ユニット前方支持体２０の中央に取り付けられた光源ユニット２のＬＥＤ光源３は、開口１９から露出している。長尺開口２１の形状は、幅方向と長さ方向とを有し、長さ方向が幅方向より長い形状になっている。本実施形態の長尺開口２１の形状は、円弧状に湾曲した形状（円弧形状）である。２個の長尺開口２１は、光源ユニット前方支持体２０の外縁の円と同心的な円弧形状をなしている。すなわち、２個の長尺開口２１は、同じ中心の周りに配置されている。２個の長尺開口２１は、光源ユニット前方支持体２０の中央部を介して反対側に配置されている。本実施形態の長尺開口２１では、円弧の径方向が幅方向に相当し、円弧の周方向が長さ方向に相当する。光源ユニット前方支持体２０には、３個の光源ユニット２を一方の長尺開口２１の長さ方向に沿って並べて取り付け可能である。これら３個の光源ユニット２のＬＥＤ光源３は、当該一方の長尺開口２１から露出する。同様にして、光源ユニット前方支持体２０には、３個の光源ユニット２を他方の長尺開口２１の長さ方向に沿って並べて取り付け可能であり、これら３個の光源ユニット２のＬＥＤ光源３は、当該他方の長尺開口２１から露出する。本実施形態では、各ＬＥＤ光源３は、その全体が開口１９または長尺開口２１から露出している。ただし、ＬＥＤ光源３の発光部以外の一部が、開口１９あるいは長尺開口２１から露出しなくても良い。すなわち、長尺開口２１の幅は、ＬＥＤ光源３の発光部を露出させ得る大きさであれば良い。
【００３７】
本実施形態の照明装置１では、組み込む光源ユニット２の数を変更することができる。図８は、本発明の実施の形態１の照明装置１に２個の光源ユニット２を組み込む場合の光源ユニット２および光源ユニット前方支持体２０の前面図である。図８に示すように、照明装置１に組み込む光源ユニット２の数を２個にする場合には、２個の長尺開口２１にそれぞれ光源ユニット２を１個ずつ配置し、開口１９には光源ユニット２を配置しない。図９は、本発明の実施の形態１の照明装置１に２個の光源ユニット２を組み込む場合の光源ユニット２、光源ユニット前方支持体２０、反射体２４および開口被覆部材２６の分解斜視図である。開口被覆部材２６については、後述する。
【００３８】
図１０は、本発明の実施の形態１の照明装置１に３個の光源ユニット２を組み込む場合の光源ユニット２および光源ユニット前方支持体２０の前面図である。図１０に示すように、照明装置１に組み込む光源ユニット２の数を３個にする場合には、一方の長尺開口２１に光源ユニット２を１個配置し、他方の長尺開口２１に光源ユニット２を２個配置し、開口１９には光源ユニット２を配置しない。
【００３９】
図１１は、本発明の実施の形態１の照明装置１に４個の光源ユニット２を組み込む場合の光源ユニット２および光源ユニット前方支持体２０の前面図である。図１１に示すように、照明装置１に組み込む光源ユニット２の数を３個にする場合には、一方の長尺開口２１に光源ユニット２を１個配置し、他方の長尺開口２１に光源ユニット２を２個配置し、開口１９に光源ユニット２を１個配置する。図１２は、本発明の実施の形態１の照明装置１に４個の光源ユニット２を組み込む場合の光源ユニット２、光源ユニット前方支持体２０、反射体２４および開口被覆部材２６の分解斜視図である。
【００４０】
図１３は、本発明の実施の形態１の照明装置１に５個の光源ユニット２を組み込む場合の光源ユニット２および光源ユニット前方支持体２０の前面図である。図１３に示すように、照明装置１に組み込む光源ユニット２の数を５個にする場合には、２個の長尺開口２１にそれぞれ光源ユニット２を２個ずつ配置し、開口１９に光源ユニット２を１個配置する。また、図示を省略するが、例えば、２個の長尺開口２１にそれぞれ光源ユニット２を３個ずつ配置し、開口１９には光源ユニット２を配置しないことにより、照明装置１に組み込む光源ユニット２の数を６個にすることもできる。
【００４１】
以上のように、本実施形態の照明装置１では、組み込む光源ユニット２の数を２個〜７個の間で変更することができる。また、長尺開口２１に取り付ける光源ユニット２については、その取り付け位置を長尺開口２１の長さ方向に沿って変更可能にしても良い。すなわち、光源ユニット２の固定位置を長尺開口２１の長さ方向に沿って位置調整することを可能にしても良い。光源ユニット２の取り付け位置を長尺開口２１の長さ方向に沿って変更可能にするためには、例えば、光源ユニット２を固定するねじ１５を通すための、光源ユニット前方支持体２０に形成されるねじ挿通孔（図示省略）を、長尺開口２１の長さ方向に沿って長い長孔にするか、あるいは、複数の取り付け位置を選べるように複数組のねじ挿通孔を設けておけば良い。
【００４２】
このように、本実施形態の照明装置１では、光源ユニット前方支持体２０の長尺開口２１の長さ方向に沿って取り付ける光源ユニット２の個数あるいは位置を容易に変えることができる。このため、照明装置１に要求される光特性（光束の大きさ、表面発光強度分布等）、あるいは意匠性などの仕様に合わせて、照明装置１に組み込む光源ユニット２の個数あるいは位置を容易に調整可能とすることができる。したがって、ある規定された装置寸法の中で、光特性あるいは意匠性が異なる複数種類の照明装置１を、安価かつ容易に実現することができる。この場合、光源ユニット前方支持体２０は、仕様の異なる照明装置１に共通の部品になるので、組立性が良好であり、安価に製造することができる。特に、本実施形態では、長尺開口２１を円弧形状とし、複数個の長尺開口２１を同じ中心の周りに配置したことにより、照明装置１に組み込む光源ユニット２の個数および位置を、高い自由度で変化させることができる。
【００４３】
光源ユニット前方支持体２０の材質は、特に限定されないが、放熱性向上および強度的な視点から、金属製であることが好ましい。また、本実施形態では、光源ユニット２の放熱部の一部である光源設置部４を光源ユニット前方支持体２０に接触させて取り付けている。このため、ＬＥＤ光源３の熱が、放熱部（光源設置部４）から光源ユニット前方支持体２０へ効率良く伝熱し、光源ユニット前方支持体２０の表面からも放熱を促すことができる。このため、ＬＥＤ光源３の放熱性および発光効率を更に向上することができる。また、光源ユニット前方支持体２０の表面を、研磨あるいは塗装などにより、高反射率状態に加工しても良い。これにより、光源ユニット前方支持体２０からの放熱を更に促進することができ、ＬＥＤ光源３の放熱性および発光効率を更に向上することができる。
【００４４】
図１４は、本発明の実施の形態１の照明装置１に２個の光源ユニット２を組み込む場合の光源ユニット２、光源ユニット前方支持体２０および反射体２４の前面図である。図１４に示すように、本実施形態における反射体２４には、照明装置１に７個の光源ユニット２を組み込んだ場合に対応するように７個の個別開口２５が形成されている。照明装置１に２個の光源ユニット２を組み込む場合には、７個の個別開口２５のうちの２個に光源ユニット２が割り当てられ、これら２個の個別開口２５からＬＥＤ光源３の発光部が露出する。残りの５個の個別開口２５には、光源ユニット２が割り当てられない。このように、光源ユニット２が割り当てられない個別開口２５、すなわちＬＥＤ光源３が配置されない個別開口２５がある場合には、透光板２９の材質にもよるが、透光板２９を通して、ＬＥＤ光源３が配置されない個別開口２５の部分が黒っぽく見えるなどの問題が生じることがある。また、ＬＥＤ光源３から発せられた光のうち、透光板２９の表面で反射された光の一部が、ＬＥＤ光源３が配置されない個別開口２５から後面側に漏れ出るために、照明装置１の発光効率が低下するという問題が生じることもある。これらの問題を解決するため、図９に示すように、個別開口２５を被覆する（塞ぐ）ことが可能な開口被覆部材２６を用意し、光源ユニット２が割り当てられない個別開口２５、すなわちＬＥＤ光源３が配置されない個別開口２５に開口被覆部材２６を装着するようにしても良い。図９では、光源ユニット２が割り当てられない５個の個別開口２５にそれぞれ開口被覆部材２６を装着する。開口被覆部材２６は、反射体２４の前面側から装着可能であることが、組立性の観点からは好ましい。また、開口被覆部材２６の材料は、反射体２４と同じ材料、または反射体２４の反射特性に近い材料であることが好ましい。開口被覆部材２６の材料をそのような材料にすることにより、照明装置１の外観、意匠性、および光特性をより良好にすることができる。
【００４５】
本実施形態における反射体２４は、照明装置１に組み込む光源ユニット２の個数が、７個または２個の場合だけでなく、３〜６個の場合にも使用することができる。照明装置１に組み込む光源ユニット２の個数が４個の場合には、図１２に示すように、光源ユニット２が割り当てられない３個の個別開口２５にそれぞれ開口被覆部材２６を装着する。図示を省略するが、照明装置１に組み込む光源ユニット２の個数が３個、５個、または６個の場合には、それぞれ、光源ユニット２が割り当てられない４個、２個、または１個の個別開口２５に、それぞれ開口被覆部材２６を装着すれば良い。このようにして、本実施形態では、組み込む光源ユニット２の個数が異なる複数種類の照明装置１において共通の反射体２４を使用することができる。このため、部品の種類を少なくすることができ、部品製造コストを低減し、部品管理も容易にすることができる。よって、安価で組立性に優れた照明装置１を得ることができる。ただし、このような構成に限らず、照明装置１に組み込む光源ユニット２の個数あるいは取り付け位置に合わせて、個別開口２５の個数あるいは位置の異なる複数種類の反射体２４を予め用意しておき、その中から選択して使用するようにしても良いことは言うまでもない。
【００４６】
本実施形態では、前述したように、各光源ユニット２は、４本のねじ１５を用いて光源設置部４（光源取り付け板５）を光源ユニット前方支持体２０に固定することにより、光源ユニット前方支持体２０に取り付けられる。これらのねじ１５は、すべて同一の方向（本実施形態では光源ユニット２の前面側）から締め付けることができる。このため、組立性のよい照明装置１を得ることができる。なお、ねじ１５を光源ユニット前方支持体２０に対し後面側から締め付け可能になるように構成してもよい。
【００４７】
図１５は、本発明の実施の形態１の照明装置１が備える光源ユニット前方支持体２０の第１の変形例（光源ユニット前方支持体２０Ａ）および光源ユニット２を拡大して示す前面図である。図１５に示す光源ユニット前方支持体２０Ａは、上述した光源ユニット前方支持体２０の第１の変形例であり、下記の点以外は光源ユニット前方支持体２０と同様である。図１５に示す光源ユニット前方支持体２０Ａでは、長尺開口２１の内周側および外周側に並行して、長尺開口２１の長さ方向に沿った細長い開口１６が形成されている。この開口１６は、ねじ１５が挿入可能な幅を有している。この開口１６が、光源ユニット２を固定可能な固定部に相当する。この光源ユニット前方支持体２０Ａの長尺開口２１に光源ユニット２を取り付ける際には、開口１６にねじ１５を通し、光源設置部４（光源取り付け板５）に形成された雌ねじ孔（図示省略）にそのねじ１５を螺合させて締め付ければ良い。このような光源ユニット前方支持体２０Ａによれば、光源ユニット２を固定可能な固定部としての開口１６が長尺開口２１の長さ方向に沿って連続して設けられていることにより、長尺開口２１の長さ方向に沿った光源ユニット２の取り付け個数および取り付け位置を自由に調整することができる。このため、長尺開口２１に対する光源ユニット２の取り付け個数および取り付け位置に応じて固定部の位置を変更した光源ユニット前方支持体２０Ａを用意する必要がなく、共通の光源ユニット前方支持体２０Ａを使用することができる。このため、部品の種類を少なくすることができ、部品製造コストを低減し、部品管理も容易にすることができる。よって、安価で組立性に優れた照明装置１を得ることができる。なお、長尺開口２１に対する光源ユニット２の取り付け位置を位置決めするための目印あるいは嵌合部を光源ユニット前方支持体２０Ａ側あるいは光源ユニット側２に設けてもよい。これにより、光源ユニット２を光源ユニット前方支持体２０Ａに対して位置ずれなく所定位置に取り付けることができる。
【００４８】
図１６は、本発明の実施の形態１の照明装置１が備える光源ユニット前方支持体２０の第２の変形例（光源ユニット前方支持体２０Ｂ）および光源ユニット２を拡大して示す前面図である。図１６に示す光源ユニット前方支持体２０Ｂは、上述した光源ユニット前方支持体２０の第２の変形例であり、下記の点以外は光源ユニット前方支持体２０と同様である。図１６に示す光源ユニット前方支持体２０Ｂでは、長尺開口２１の内周側の縁部に、長尺開口２１の長さ方向に沿って、連続する多数の凹凸で構成される固定部１７ａが設けられている。また、長尺開口２１の外周側には、長尺開口２１の長さ方向に沿って細長い開口が形成され、その細長い開口の内周側の縁部に、長尺開口２１の長さ方向に沿って、連続する多数の凹凸で構成される固定部１７ｂが設けられている。固定部１７ａ，１７ｂの凹部は、ねじ１５が挿入可能な幅を有している。この光源ユニット前方支持体２０Ｂの長尺開口２１に光源ユニット２を取り付ける際には、固定部１７ａ，１７ｂの凹部にねじ１５を挿入した状態で、光源設置部４（光源取り付け板５）に形成された雌ねじ孔（図示省略）にそのねじ１５を螺合させて締め付ければ良い。このような光源ユニット前方支持体２０Ｂによれば、光源ユニット２を固定可能な固定部１７ａ，１７ｂが長尺開口２１の長さ方向に沿って連続して設けられていることにより、長尺開口２１の長さ方向に沿った光源ユニット２の取り付け個数および取り付け位置を自由に調整することができる。このため、長尺開口２１に対する光源ユニット２の取り付け個数および取り付け位置に応じて固定部の位置を変更した光源ユニット前方支持体２０Ｂを用意する必要がなく、共通の光源ユニット前方支持体２０Ｂを使用することができる。このため、部品の種類を少なくすることができ、部品製造コストを低減し、部品管理も容易にすることができる。よって、安価で組立性に優れた照明装置１を得ることができる。なお、長尺開口２１に対する光源ユニット２の取り付け位置を位置決めするための目印あるいは嵌合部を光源ユニット前方支持体２０Ｂ側あるいは光源ユニット側２に設けてもよい。これにより、光源ユニット２を光源ユニット前方支持体２０Ｂに対して位置ずれなく所定位置に取り付けることができる。
【００４９】
次に、本実施形態の照明装置１が備える光源ユニット後方支持体２３について説明する。図２および図３に示すように、光源ユニット後方支持体２３は、照明装置１が備える複数個の光源ユニット２を、光源ユニット前方支持体２０より後方の位置で、一括して支持する。本実施形態では、光源ユニット後方支持体２３は、光源ユニット２の後端部を支持しているが、光源ユニット２の側面部を支持してもよい。光源ユニット前方支持体２０に加えて光源ユニット後方支持体２３を設けることにより、長期間の使用や度重なる振動などに対しても、光源ユニット２の位置固定をより強固なものにすることができる。光源ユニット後方支持体２３は、放熱体７の後端部あるいは側面部に対し、例えばねじ固定などの方法で固定される。なお、光源ユニット前方支持体２０と光源ユニット２との固定強度が十分に高い場合には、光源ユニット後方支持体２３を設けなくても良い。
【００５０】
光源ユニット後方支持体２３は、照明装置１内に熱が篭らないように、隣り合う光源ユニット２同士を連結する細幅のフレーム状の部材（例えば金属製）を用いて構成することが好ましい。あるいは、光源ユニット後方支持体２３が細幅でなくても、光源ユニット後方支持体２３の表面に凹凸構造を設けたり、あるいは細かい通気孔を設けたりすることにより、照明装置１の放熱性を高めることが可能である。
【００５１】
また、本実施形態のように、放熱部がＬＥＤ光源３と反対側に開口部（支柱部８の後端の開口部）を有している場合には、その開口部の全域を光源ユニット後方支持体２３で覆うように構成しても良い。これにより、周囲の粉塵が放熱部（支柱部８）の内部に入り込むことを防ぐことができ、保守性のよい照明装置１を得ることができる。なお、その場合において、図５に示すようにＬＥＤ光源３への給電線１１が支柱部８の内部を通っている場合には、支柱部８の後端の開口部を覆う部分の光源ユニット後方支持体２３に、給電線１１を通すための開口を設け、その開口から給電線１１を外部に引き出すように構成しても良い。その場合、引き出した給電線１１の端部に図示しないソケット（第１の端子）を設け、そのソケットを接続可能な端子台（第２の端子）を光源ユニット後方支持体２３に設けることによって、給電線１１を外部電源に接続可能とする構成にしてもよい。
【００５２】
本実施形態の照明装置１は、反射体２４を備えたことにより、意匠性および装置全体の発光効率を向上することができる。ただし、照明装置１への要求仕様によっては、反射体２４を設けなくても良い。反射体２４を設けない場合には、光源ユニット前方支持体２０に、何らかの表面処理（例えば高反射率処理、耐腐食処理）を行うことが望ましい。
【００５３】
また、光制御機能を有する反射体２４を特に必要としない場合には、ＬＥＤ光源３の発光部に相当する領域を開口させた薄い光反射性材２７を反射体２４に代えて設けてもよい。図１７は、光源ユニット２、光源ユニット前方支持体２０、光反射性材２７および内部反射枠２８の分解斜視図である。以下、図１７を参照して、反射体２４に代えて薄い光反射性材２７を設ける場合の構成例について説明する。光反射性材２７は、薄い平板状またはシート状をなしている。光反射性材２７には、各々の光源ユニット２のＬＥＤ光源３を個別に露出させる複数の開口が形成されている。光反射性材２７の前面側に、内部反射枠２８を設けてもよい。この内部反射枠２８を設けることにより、内部反射枠２８と表面反射枠３０との間で透光板２９を挟み込むように固定することができる。なお、内部反射枠２８は、高反射性樹脂材料などを用いて構成することが好ましい。内部反射枠２８の表面にはＬＥＤ光源３からの光が間接的に入射するので、内部反射枠２８を高反射性樹脂材料で構成することにより、発光効率の低下を抑えることができる。内部反射枠２８の厚みにより、透光板２９をＬＥＤ光源３から離すことができるので、透光板２９が高温のＬＥＤ光源３の直上に配置されることがなくなる。このため、透光板２９が樹脂製の場合であっても、透光板２９の高温黄ばみを確実に防ぐことができる。
【００５４】
また、本実施形態の照明装置１は、外側筐体３１を備えているが、外側筐体３１は必ずしも必要ではない。外側筐体３１の有無は、設置場所により要求される保護状態に応じて定めればよい。また、外側筐体３１を設ける場合には、放熱性に優れた金属材料で構成し、開口部を設けて通気性を良好にする構成にすることが好ましい。ただし、設置場所によっては、外側筐体３１の少なくとも側面には開口部を持たないものとしてもよい。
【００５５】
また、本実施形態では、光源設置部４の形状が円形であるが、光源設置部４の形状は円形に限定されるものではなく、例えば、正方形、長方形、多角形等でも良い。また、光源ユニット前方支持体２０、あるいは、光源ユニット後方支持体２３との固定に用いるための側方凸部や嵌合部などを光源設置部４に設けても良い。
【００５６】
実施の形態２．
次に、図１８乃至図２０を参照して、本発明の実施の形態２について説明するが、上述した実施の形態１との相違点を中心に説明し、同一部分または相当部分は同一符号を付し説明を省略する。図１８および図１９は、それぞれ、本発明の実施の形態２の照明装置１が備える光源ユニット２Ｂを示す斜視図である。なお、図１９では、説明の都合上、放熱体７の半分を除去し、光源設置部４を透視した状態を示している。前述したように、実施の形態１の光源ユニット２では、ＬＥＤ光源３に給電する給電線１１は、ＬＥＤ光源３上の接続端子に、はんだ付けで直結されている。これに対し、本実施形態の光源ユニット２Ｂでは、図１８に示すように、給電線１１は、ＬＥＤ光源３に隣接して設置された樹脂ソケット１０を介してＬＥＤ光源３に電源供給を行う。また、図１９に示すように、本実施形態の光源ユニット２Ｂでは、放熱体７の支柱部８の後端部に、給電用ソケット１３が設置されている。給電線１１は、支柱部８の内部を通って、給電用ソケット１３の端子１３ａ（第１の端子）に接続されている。
【００５７】
図２０は、本発明の実施の形態２の照明装置１が備える光源ユニット後方支持体２３Ａを示す斜視図である。図２０に示すように、本実施形態の光源ユニット後方支持体２３Ａは、光源ユニット２Ｂが備える給電用ソケット１３の端子１３ａを接続可能な端子３２（第２の端子）を複数個備えている。この光源ユニット後方支持体２３Ａは、本実施形態の照明装置１に組み込まれる複数の光源ユニット２Ｂの後端部分を一括して支持する機能に加えて、光源ユニット２Ｂの給電用ソケット１３の端子１３ａを光源ユニット後方支持体２３Ａの端子３２に接続することにより、ＬＥＤ光源３を外部電源に接続可能とする機能を兼ね備えている。このような構成により、本実施形態では、照明装置１の組立性を更に改善することができる。
【００５８】
実施の形態３．
次に、図２１を参照して、本発明の実施の形態３について説明するが、上述した実施の形態１との相違点を中心に説明し、同一部分または相当部分は同一符号を付し説明を省略する。図２１は、本発明の実施の形態３の照明装置１が備える、隣り合う一組の放熱体７の前面図である。図示を省略するが、本実施形態の光源ユニット２では、光源設置部４の直径は、放熱体７の直径（フィン９の先端での直径）に比べて小さくなっている。そのような本実施形態の光源ユニット２を照明装置１に組み込む場合には、少なくとも一組の隣り合う光源ユニット２の間において、図２１に示すように、一方の光源ユニット２のフィン９の少なくとも一つが、他方の光源ユニット２の二つのフィン９の間に位置するように配置することが可能である。照明装置１に組み込まれる複数個の光源ユニット２のうち、少なくとも一組の隣り合う光源ユニット２を図２１に示すように配置することにより、放熱特性を良好にしつつ、照明装置１に対して光源ユニット２を高密度搭載（多数搭載）することが可能になり、照明装置１を更に小型化することができる。
【００５９】
実施の形態４．
次に、図２２を参照して、本発明の実施の形態４について説明するが、上述した実施の形態１との相違点を中心に説明し、同一部分または相当部分は同一符号を付し説明を省略する。図２２は、本発明の実施の形態４の照明装置１が備える光源ユニット２Ｃを示す斜視図である。本実施形態の光源ユニット２Ｃは、放熱体７Ｃの構成が異なること以外は、実施の形態１の光源ユニット２と同様である。図２２に示すように、本実施形態の光源ユニット２Ｃが備える放熱体７Ｃは、互いに平行に設けられた複数の平板状のフィン７１によって構成されている。フィン７１は、ＬＥＤ光源３を取り付ける取り付け面５ａに対して垂直な向きに設けられている。このような放熱体７Ｃを備えた光源ユニット２Ｃを用いた場合であっても、実施の形態１と同様の効果が得られる。
【００６０】
実施の形態５．
次に、図２３を参照して、本発明の実施の形態４について説明するが、上述した実施の形態１との相違点を中心に説明し、同一部分または相当部分は同一符号を付し説明を省略する。図２３は、本発明の実施の形態５の照明装置１が備える光源ユニット２Ｄを示す斜視図である。本実施形態の光源ユニット２Ｄは、放熱体７Ｄの構成が異なること以外は、実施の形態１の光源ユニット２と同様である。図２３に示すように、本実施形態の光源ユニット２Ｄが備える放熱体７Ｄは、互いに平行に設けられた複数の棒状の放熱要素７２によって構成されている。放熱要素７２は、ＬＥＤ光源３を取り付ける取り付け面５ａに対して垂直な向きに設けられている。このような放熱体７Ｄを備えた光源ユニット２Ｄを用いた場合であっても、実施の形態１と同様の効果が得られる。なお、本実施形態における放熱要素７２は、円柱状をなしているが、例えば四角柱状などの多角柱状であってもよい。
【００６１】
次に、実施の形態１に比べて光源ユニット前方支持体２０が備える長尺開口２１の形状および配置が異なる複数の実施の形態について説明する。光源ユニット前方支持体２０が備える長尺開口２１の形状および配置は、照明装置１に要求される仕様に基づいて決定される光源ユニット２の設置個数および配置を実現可能にするように定められるものであり、以下に説明する実施の形態６乃至９に例示するように、種々の構成が考えられる。
【００６２】
実施の形態６．
次に、図２４を参照して、本発明の実施の形態６について説明するが、上述した実施の形態１との相違点を中心に説明し、同一部分または相当部分は同一符号を付し説明を省略する。図２４は、本発明の実施の形態６の照明装置１が備える光源ユニット前方支持体２０Ｃを示す前面図である。本実施形態の光源ユニット前方支持体２０Ｃは、長尺開口２１Ｃの形状および配置が異なること以外は、実施の形態１の光源ユニット前方支持体２０と同様である。図２４に示すように、本実施形態の光源ユニット前方支持体２０Ｃが備える長尺開口２１Ｃは、直線的に形成された直線形状をなしている。本実施形態では、３本の長尺開口２１Ｃが互いに平行に配置されている。各々の長尺開口２１Ｃには、複数の光源ユニット２を長尺開口２１Ｃの長手方向に沿って並べて取り付け可能である。また、各々の光源ユニット２の取り付け位置を長尺開口２１Ｃの長手方向に沿って変更（調整）可能になっていても良い。このような光源ユニット前方支持体２０Ｃを備えた照明装置１によれば、光源ユニット前方支持体２０Ｃの長尺開口２１Ｃの長さ方向に沿って取り付ける光源ユニット２の個数あるいは位置を容易に変えることができる。
【００６３】
実施の形態７．
次に、図２５を参照して、本発明の実施の形態７について説明するが、上述した実施の形態１との相違点を中心に説明し、同一部分または相当部分は同一符号を付し説明を省略する。図２５は、本発明の実施の形態７の照明装置１が備える光源ユニット前方支持体２０Ｄを示す前面図である。本実施形態の光源ユニット前方支持体２０Ｄは、長尺開口２１Ｄの形状および配置が異なること以外は、実施の形態１の光源ユニット前方支持体２０と同様である。図２５に示すように、本実施形態の光源ユニット前方支持体２０Ｄが備える長尺開口２１Ｄの形状は、複数の直線が交差した形状をなしている。特に、本実施形態では、長尺開口２１Ｄは、略十字状をなしている。長尺開口２１Ｄには、複数の光源ユニット２を長尺開口２１Ｄの長手方向に沿って並べて取り付け可能である。また、各々の光源ユニット２の取り付け位置を長尺開口２１Ｄの長手方向に沿って変更（調整）可能になっていても良い。このような光源ユニット前方支持体２０Ｄを備えた照明装置１によれば、光源ユニット前方支持体２０Ｄの長尺開口２１Ｄの長さ方向に沿って取り付ける光源ユニット２の個数あるいは位置を容易に変えることができる。
【００６４】
実施の形態８．
次に、図２６を参照して、本発明の実施の形態８について説明するが、上述した実施の形態１との相違点を中心に説明し、同一部分または相当部分は同一符号を付し説明を省略する。図２６は、本発明の実施の形態８の照明装置１が備える光源ユニット前方支持体２０Ｅを示す前面図である。本実施形態の光源ユニット前方支持体２０Ｅは、長尺開口２１Ｅの形状および配置が異なること以外は、実施の形態１の光源ユニット前方支持体２０と同様である。図２６に示すように、本実施形態の光源ユニット前方支持体２０Ｅが備える長尺開口２１Ｅは、直線的に形成された直線形状をなしている。本実施形態では、８本の長尺開口２１Ｅが、光源ユニット前方支持体２０Ｅの中心から放射状に配置されている。各々の長尺開口２１Ｅには、１個の光源ユニット２を取り付け可能であり、その取り付け位置を長尺開口２１Ｅの長手方向に沿って変更（調整）可能になっている。このような光源ユニット前方支持体２０Ｅを備えた照明装置１によれば、光源ユニット前方支持体２０Ｅに取り付ける複数の光源ユニット２の取り付け位置の、光源ユニット前方支持体２０Ｅの中心からの距離を容易に変えることができる。
【００６５】
実施の形態９．
次に、図２７を参照して、本発明の実施の形態９について説明するが、上述した実施の形態１との相違点を中心に説明し、同一部分または相当部分は同一符号を付し説明を省略する。図２７は、本発明の実施の形態９の照明装置１が備える光源ユニット前方支持体２０Ｆを示す前面図である。本実施形態の光源ユニット前方支持体２０Ｆは、長尺開口２１Ｆの形状および配置が異なること以外は、実施の形態１の光源ユニット前方支持体２０と同様である。図２７に示すように、本実施形態の光源ユニット前方支持体２０Ｆが備える長尺開口２１Ｆの形状は、折れ線状の形状をなしている。特に、本実施形態では、長尺開口２１Ｆは、略Ｎ字状をなしている。長尺開口２１Ｆには、複数の光源ユニット２を長尺開口２１Ｆの長手方向に沿って並べて取り付け可能である。また、各々の光源ユニット２の取り付け位置を長尺開口２１Ｆの長手方向に沿って変更（調整）可能になっていても良い。このような光源ユニット前方支持体２０Ｆを備えた照明装置１によれば、光源ユニット前方支持体２０Ｆの長尺開口２１Ｆの長さ方向に沿って取り付ける光源ユニット２の個数あるいは位置を容易に変えることができる。
【００６６】
以上、光源ユニット前方支持体２０が備える長尺開口２１の形状および配置が異なる複数の実施の形態について説明したが、光源ユニット前方支持体２０が備える長尺開口２１の形状および配置は、上記の例示に限定されるものではなく、種々の変形が考えられる。例えば、光源ユニット前方支持体２０が備える長尺開口２１は、円弧形状等の湾曲形状と、直線形状とを組み合わせた形状であってもよい。光源ユニット前方支持体２０の長尺開口２１の形状および配置を、照明装置１に要求される意匠性、光特性などに基づいて定めることにより、明るさに係わる光源ユニット２の個数調整、輝度分布、配光、グレアに係わる光源ユニット２の配置などの種々のバリエーションに対応することができる。また、図１５あるいは図１６に示すような、光源ユニットを固定するための固定部の構成は、上述した実施の形態６乃至９にも同様に適用可能である。
【００６７】
以上説明した実施の形態では、天井面に埋め込んで使用されるダウンライトに本発明の照明装置を適用した場合について説明したが、本発明の照明装置は、ダウンライトに限らず、屋内および屋外の種々の用途の照明装置に適用可能である。次に述べる実施の形態１０および１１では、本発明の照明装置のダウンライト以外への適用例について説明する。
【００６８】
実施の形態１０．
次に、図２８を参照して、本発明の実施の形態１０について説明するが、上述した実施の形態１との相違点を中心に説明し、同一部分または相当部分は同一符号を付し説明を省略する。図２８は、本発明の実施の形態１０の照明装置を示す斜視図である。図２８に示す本実施形態の照明装置１Ａは、高天井に取り付けて試用される例えば数百Ｗ程度の照明装置への適用例である。なお、図２８では、説明の都合上、外側筐体を透視した状態を示している。本実施形態の照明装置１Ａは、装置本体３３と、この装置本体３３を支持する支持枠３４とを有している。支持枠３４は、天井面に固定される。装置本体３３は、支持枠３４に対し、回転軸３５を中心に回転可能に支持されている。装置本体３３には、複数個の光源ユニット２が組み込まれている。このような本実施形態の照明装置１Ａでは、支持枠３４に対して装置本体３３を回転させることにより、装置本体３３の向きを変えて、投光方向を調整することができる。
【００６９】
実施の形態１１．
次に、図２９を参照して、本発明の実施の形態１１について説明するが、上述した実施の形態１との相違点を中心に説明し、同一部分または相当部分は同一符号を付し説明を省略する。図２９は、本発明の実施の形態１１の照明装置を示す斜視図である。図２９に示す本実施形態の照明装置１Ｂは、例えばビルの壁面などを照明するための環境照明装置への適用例である。なお、図２９では、説明の都合上、外側筐体を透視した状態を示している。本実施形態の照明装置１Ｂは、装置本体３６と、この装置本体３６を支持する支持枠３７と、台座３８とを有している。支持枠３７は、地面に固定された台座３８に取り付けられている。装置本体３６は、支持枠３７に対し、回転軸３９を中心に回転可能に支持されている。装置本体３６には、複数個の光源ユニット２が組み込まれている。このような本実施形態の照明装置１Ｂでは、支持枠３７に対して装置本体３６を回転させることにより、装置本体３６の向きを変えて、投光方向を調整することができる。また、台座３８に対して支持枠３７が回転可能になっていてもよい。
【００７０】
以上、本発明の照明装置の実施の形態について説明したが、本発明の照明装置は、上述した各実施の形態に限定されるものではない。例えば、上述した実施の形態では、ＬＥＤ光源は、青色系ＬＥＤベアチップと黄色系蛍光体混合封止樹脂とで構成した白色光源であるものとしたが、本発明におけるＬＥＤ光源は、例えば青、緑、赤などのＬＥＤベアチップを非蛍光体混合封止樹脂で構成した非白色光源であってもよい。また、ＬＥＤ光源が非白色光源である場合には、互いに異なる発光色のＬＥＤ光源を有する光源ユニットを照明装置に組み込み、外部の制御電源を用いて各色の光源ユニットの発光を制御することにより、色調制御する構成としてもよい。更に、ＬＥＤ光源は、赤、緑、青、黄などの複数の発光色のＬＥＤベアチップを用いて蛍光体レスで構成した白色光源としてもよい。また、光源ユニットが備える放熱部は、放熱部材として一部にヒートパイプを用いたものでもよい。
【符号の説明】
【００７１】
１，１Ａ，１Ｂ  照明装置、２，２Ａ，２Ｂ，２Ｃ，２Ｄ  光源ユニット、３  ＬＥＤ光源、４  光源設置部、５  光源取り付け板、５ａ  取り付け面、６  放熱体取り付け板、７，７Ｃ，７Ｄ  放熱体、８  支柱部、９  フィン、１０  樹脂ソケット、１１  給電線、１２  ねじ、１３  給電用ソケット、１４  給電用開口、１６  開口、１７ａ，１７ｂ  固定部、１８  貫通孔、１９  開口、２０，２０Ａ，２０Ｂ，２０Ｃ，２０Ｄ，２０Ｅ，２０Ｆ  光源ユニット前方支持体、２１，２１Ｃ，２１Ｄ，２１Ｅ，２１Ｆ  長尺開口、２３，２３Ａ  光源ユニット後方支持体、２４  反射体、２５  個別開口、２６  開口被覆部材、２７  光反射性材、２８  内部反射枠、２９  透光板、３０  表面反射枠、３１  外側筐体、３２  端子、３３  装置本体、３４  支持枠、３５  回転軸、３６  装置本体、３７  支持枠、３８  台座、７１  フィン、７２  放熱要素、１００  照明装置、１０１  ＬＥＤ光源、１０２  放熱体
【図１】
0005626432.tif 000002
【図２】
0005626432.tif 000003
【図３】
0005626432.tif 000004
【図４】
0005626432.tif 000005
【図５】
0005626432.tif 000006
【図６】
0005626432.tif 000007
【図７】
0005626432.tif 000008
【図８】
0005626432.tif 000009
【図９】
0005626432.tif 000010
【図１０】
0005626432.tif 000011
【図１１】
0005626432.tif 000012
【図１２】
0005626432.tif 000013
【図１３】
0005626432.tif 000014
【図１４】
0005626432.tif 000015
【図１５】
0005626432.tif 000016
【図１６】
0005626432.tif 000017
【図１７】
0005626432.tif 000018
【図１８】
0005626432.tif 000019
【図１９】
0005626432.tif 000020
【図２０】
0005626432.tif 000021
【図２１】
0005626432.tif 000022
【図２２】
0005626432.tif 000023
【図２３】
0005626432.tif 000024
【図２４】
0005626432.tif 000025
【図２５】
0005626432.tif 000026
【図２６】
0005626432.tif 000027
【図２７】
0005626432.tif 000028
【図２８】
0005626432.tif 000029
【図２９】
0005626432.tif 000030
【図３０】
0005626432.tif 000031